(57)【要約】      （修正有）【課題】化粧品の特性評価をするための簡易な皮膚模型を提供する。【解決手段】軟質合成樹脂材を矩形に形成してなる基台２の表面全体に、均等で微細な断面Ｖ字状に形成した多数本の溝部を互いに格子状に交差させて形成したしわ部５を、方形な基台２に対し斜め４５度の角度に設けて形成する。【選択図】図１
0003220087.tif 000002
【実用新案登録請求の範囲】
【請求項１】
矩形に形成した基台（２）の表面全体に微細なしわ部（５）を設けてなることを特徴とする簡易皮膚模型。
【請求項２】
前記基台（２）は、軟質合成樹脂材からなることを特徴とする請求項１記載の簡易皮膚模型。
【請求項３】
前記しわ部（５）は、方形な基台（２）の表面全体に均等間隔で多数本の溝部（６）を幾何学模様に形成してなることを特徴とする請求項１記載の簡易皮膚模型。
【請求項４】
前記溝部（６）は、前記基台（２）の接線方向に対し斜め４５度の角度で格子状に交差させてなることを特徴とする請求項３記載の簡易皮膚模型。
【請求項５】
前記溝部（６）は、断面Ｖ字状に形成なることを特徴とする請求項３または４記載の簡易皮膚模型。
【請求項６】
前記溝部（６）は、溝と溝との幅間隔Ｘを１４９〜１５１μｍにし、断面Ｖ字形に形成した断面幅Ｙを４５〜５５μｍ、深度Ｚを１７〜２５μｍにしてなることを特徴とする請求項３ないし５のいずれか１記載の簡易皮膚模型。
【考案の詳細な説明】
【技術分野】
【０００１】
本考案は、人の肌に塗布する化粧品の特性を評価するための簡易皮膚模型に関する。
【背景技術】
【０００２】
従来、人の肌（以下、皮膚という）に塗布する化粧水や各種クリームなどの化粧品は多種多様で、これら化粧品の内、特に基礎化粧品といわれる化粧水やハンドクリームなどは肌に浸透させて表面にうるおいや保湿性を高めることを効能としているものが多くある。そのため、これらの基礎化粧品の商品開発には人の皮膚または皮膚に近い人工皮膚が必要不可欠である。
【０００３】
しかし、人の皮膚の表面に化粧水や各種クリームを塗布してデータを入手（評価）する場合、人の皮膚は、その人の健康状態、外気温度や湿度などで毎日相違し、平均的な評価をすることが困難であった。
【０００４】
そこで、人間の皮膚に似せた人工皮膚（ポリウレタン製生地）を使用して化粧品の塗りかた、または、化粧落としの仕方などの実習に使用されているものが知られている。（例えば、特許文献１参照）。
【先行技術文献】
【特許文献】
【０００５】
【特許文献１】特開平０４−３１４０８０号
【０００６】
しかし、前記発明は、ポリウレタン製生地の特性を利用したもので、生地の表面は人間の皮膚に似た細かい無数の浅いしわ様を有している。そこで、前記発明は、しわ様を利用して単に化粧品の塗りかた、または落とし方の実習のために使用するものである。そのため、化粧品（基礎化粧品やメイキャップ化粧品）である化粧水や各種クリームまたは口紅などの油分の広がり具合、保水性などの特性を評価することができないという問題点を有している。
【考案の概要】
【考案が解決しようとする課題】
【０００７】
本考案が解決しようとする課題は、軟質合成樹脂材からなる基台の表面に人の皮膚に似せた細かな幾何学模様のしわ部を施すことにより、このしわ部に塗布する化粧品である化粧水や各種クリームの油分の広がり具合、保水性などを評価することを目的とするものである。
【課題を解決するための手段】
【０００８】
矩形に形成した基台２の表面全体に微細なしわ部５を設けてなることを特徴とする。また、前記基台２は、軟質合成樹脂材からなることを特徴とする。さらには、前記しわ部５は、方形な基台２の表面全体に均等間隔で多数本の溝部６を幾何学模様に設けてなることを特徴とする。さらにはまた、前記溝部６は、基台２の接線方向に対し斜め４５度の角度で格子状に交差させてなることを特徴とする。また、前記各溝部６は、断面Ｖ字状に形成なることを特徴とする。さらには、前記溝部６は、溝と溝との幅間隔Ｘを１４９〜１５１μｍにし、断面Ｖ字形に形成した断面幅Ｙを４５〜５５μｍ、深度Ｚを１７〜２５μｍにしてなることを特徴とする。
【０００９】
したがって、簡易皮膚模型１は、基台２を方形に形成し、表面に微細で多数本の溝部６を幾何学模様に形成したしわ部５を設けたことにより、人間の皮膚と同感覚の皮膚模型を形成することができる。この簡易皮膚模型１の表面に塗布した試料を評価する際、測定機器に基台２を取付けるとき、前記基台２は、全体を方形に形成し、しわ部５を格子状の斜め方向に形成したことにより、どの方向から機器に取付けてもしわ部６を同じ角度に取付けることができ、取付け方向を間違わないので作業の効率化を図ることができる。基台２を合成樹脂材により形成したことにより、評価終了後、簡易皮膚模型１を洗浄することが可能であることから何度でも使用することができ、大変経済的である。しわ部５を構成する溝部６は、微細な等間隔で斜め格子状に形成したことにより、しわ部５の表面張力を無くすことができるので、試料を塗布したとき均等に広げることができるので正確な評価をすることができる。
【図面の簡単な説明】
【００１０】
【図１】本考案にかかる簡易皮膚模型を示す平面図である。
【図２】本考案にかかる簡易皮膚模型の正面図である。
【図３】図１の一点鎖線部分の拡大図である。
【図４】図３のＡ―Ａ線断面図ある。
【図５】溝部の要部拡大断面図である。
【考案を実施するための形態】
【００１１】
本考案の実施の形態を図面に基づいて説明すると、図１は本考案にかかる簡易皮膚模型を示す平面図、図２は本考案にかかる簡易皮膚模型を示す正面図、図３は図１の一点鎖線部分の拡大図、図４は図３のＡ―Ａ線断面図、図５は溝部の要部拡大断面図である。本考案にかかる簡易皮膚模型１は、軟質合成樹脂材を矩形に形成してなる基台２の表面全体に、微細な溝部６を均等間隔で幾何学模様に形成してある。したがって、塗布した化粧水やハンドクリームの広がりが、人間の皮膚に塗布した状態に近い状態にすることができる。
【００１２】
さらには、前記溝部６は、図５に示すごとく、内壁面を粗面に形成することにより、より人間の皮膚感覚に近い皺部５を形成することができるので、塗布する化粧水やハンドクリームの浸透率を向上させることができる。
【００１３】
前記溝部６の幾何学模様は、前記基台２に対し斜め４５度の角度で格子状に交差させて断面Ｖ字状に形成しある。したがって、測定機器に取付けるときどの方向に取付けても同じ角度に取付けることができるので作業の効率化を図ることができる。
【００１４】
前記しわ部５を構成する各溝部６は、基台２の表面全体に微細な間隔で設けたことにより、表面張力ができないので、試料が溝部６内に滲み込みやすく、且つ、平均的に分散させることができるので、正確な試料の評価測定を行うことができる。
【００１５】
また、前記簡易皮膚模型１の基台２は、軟質合成樹脂材、抗長性、耐摩耗性、弾性及び耐油性を有する例えば、非フォウム系、ポリウレタン合成ゴム材を矩形に形成してある。
【００１６】
したがって、室温や湿度に影響されることなく平均的な試料の評価をすることができ、また、簡易皮膚模型１は、軟質合成樹脂材を使用して形成してあることから、使用後に洗浄することが可能であり、何度でも繰り返し使用することができるので大変経済的である。
【００１７】
前記試料とは、化粧品、特に各種化粧水、各種乳液、洗顔料、各種クリーム（ハンドクリーム、保湿クリーム、クレンジングクリームなど）からなる基礎化粧品や、メイキャップ化粧品である口紅、ファンデーションまたは眉墨などの化粧品が含まれることは勿論である。
【００１８】
評価とは、前記化粧品を人の皮膚に塗布したとき、効能とおりの効果があるか否かを測定するもので、測定を人間の皮膚ではなく、均等な皮膚状態を有する本考案に係る簡易皮膚模型１を使用して検査することにより、前記化粧品、例えば、ハンドクリームを皮膚へ塗布したときと同じ感覚で使用でき、基台２の表面しわ部６に指先でハンドクリームを塗り広げたときの広がり具合、または、ハンドクリームに含まれる油分、水分などの浸透具合（馴染み具合）などを見るこという。
【００１９】
さらには、ロードセルや加速度センサーを内蔵した摩擦測定器（図示せず）により簡易皮膚模型１の基台２に塗布したハンドクリームや化粧水の静摩擦抵抗や動摩擦抵抗を計測することにより、ハンドクリームや化粧水の延び具合を計測することもできる。
【００２０】
前記基台２に設けたしわ部５の各溝部６は、図３、４、５に示すごとく、各溝６と溝６との幅間隔Ｘを１４９〜１５１μｍ、好ましくは、１５０μｍにし、断面Ｖ字状に形成した各溝部の断面幅Ｙを４５〜５５μｍ、好ましくは、５０μｍとし、溝深さＺは１７〜２５μｍ、好ましくは、２０．１０μｍとすることにより、人間の皮膚に近い形状のしわ部５を形成することができるので、良好な評価をすることができる。
【００２１】
また、前記しわ部５に設けた溝部６は、幅間隔Ｘ、溝幅Ｙや溝深さＺをそれぞれ変えることにより、人間の肌年齢に合わせた形状のしわ部５を形成することができるのは勿論である。
【００２２】
さらにはまた、図５に示すごとく、溝部６は、内壁面を粗面に形成することにより、より人間の皮膚に近い感覚に形成することができるので、さらに良好な評価をすることができる。
【００２３】
以下、本考案の実施の形態の作用について説明すると、簡易皮膚模型１は、軟質合成樹脂材を矩形に形成してなる基台２の表面全体に、均等で微細な断面Ｖ字状に形成した多数本の幾何学模様からなる溝部６を有したしわ部５を設けてある。
【００２４】
この幾何学模様に形成したしわ部５は、前記基台２の接線方向に対し斜め４５度の角度で格子状に交差させて形成してある。したがって、前記しわ部５は外観上ほとんど見えないことから基台２の接線方向に対し斜め４５度の角度で格子状に交差させて形成したことにより、測定機器に装着して評価する場合、基台２をどの方向に取付けてもしわ部６が同じ方向に位置するので間違えることなく評価することができる。
【００２５】
基台２のしわ部５は、表面全体に微細な間隔で断面Ｖ字状の溝部６を均等な間隔で格子状に形成したことにより、表面に表面張力ができないので、試料であるハンドクリームや化粧水が人間の皮膚に塗布するのと同じ感覚で溝部６内にスムースに滲み込み、且つ、平均的に分散させることができるので、正確な試料の評価測定を行うことができる。さらには、前記溝部６の内壁面を粗面に形成することにより、より人間の皮膚に近い感覚に形成することができるので、さらに良好な評価をすることが可能である。
【００２６】
さらには、簡易皮膚模型１をポリウレタンゴム材により形成したことにより、評価終了後、洗浄することが可能であることから何度でも使用することができ、大変経済的である。
【符号の説明】
【００２７】
１    簡易皮膚模型
２    基台
５    しわ部
６    溝部
【図１】
0003220087.tif 000003
【図２】
0003220087.tif 000004
【図３】
0003220087.tif 000005
【図４】
0003220087.tif 000006
【図５】
0003220087.tif 000007